【事件の表示】
　特願２００１−２５０１９０号「弾球遊技機」拒絶査定不服審判事件〔平成１５年２月２５日出願公開、特開２００３−５３００９号〕について、次のとおり審決する。
【結　論】
　本件審判の請求は、成り立たない。
【理　由】
第１　手続の経緯
　本件に係る出願（以下「本願」という。）は、平成１３年８月２１日の出願であって、平成２３年６月６日付けで拒絶査定がなされ（発送日：同年６月１４日）、これに対し、同年９月５日に拒絶査定不服審判の請求がなされ、その審判の請求と同時に手続補正がなされたものである。
　
第２　平成２３年９月５日付け手続補正についての補正却下の決定
［補正却下の決定の結論］
　平成２３年９月５日付け手続補正（以下「本件補正」という。）を却下する。
　
［理由］
１　本件補正発明
　本件補正は、特許請求の範囲の請求項１について、本件補正前に「遊技盤面上に発射された遊技球の帰趨に応じて遊技球を払い出す弾球遊技機において、大当たり判定処理を実行する主制御装置と、遊技盤上に設けられ、上記大当たり判定処理の結果に基づいて図柄抽選の様子を表示する表示装置と、該表示装置を制御する画像制御装置と、予め設定した遊技状態の変化をカウントして、遊技の進行とともに変化する進行度パラメータを求めるカウント手段とを具備し、上記画像制御装置は、遊技場全体を管理するホールコンピュータ、又は外部記憶手段と接続可能に構成されており、遊技者に提供される利益の情報であって、予め上記ホールコンピュータ、又は外部記憶手段に記憶されており上記利益の程度に応じて順位付けされた情報を受信可能であり、上記表示装置に、遊技の内容を構成しない非遊技画像として、上記利益情報を、進行度パラメータが大きくなるにしたがって、低順位のものから順位付けされた順番に段階的に表示せしめることを特徴とする弾球遊技機。」とあったものを「遊技盤面上に発射された遊技球の帰趨に応じて遊技球を払い出す弾球遊技機において、大当たり判定処理を実行する主制御装置と、遊技盤上に設けられ、上記大当たり判定処理の結果に基づいて図柄抽選の様子を表示する表示装置と、該表示装置を制御する画像制御装置と、
上記図柄抽選の回数をカウントして進行度パラメータを
と、上記進行度パラメータが規定値に達しているか否かを判定する規定回数到達判定手段と
上記規定回数到達判定手段により進行度パラメータが規定値に達していると判断された場合は、上記ホールコンピュータ、又は外部記憶手段へ遊技の内容を構成しない特典画像データを要求可能とし、特典画像データを要求した場合は、上記図柄抽選の回数の
特典画像データ
上記表示装置に、非遊技画像として上記特典画像を、
　上記補正について検討する。
　本件補正後の特許請求の範囲の請求項１に記載された発明は、カウント手段について、「予め設定した遊技状態の変化をカウントして、遊技の進行とともに変化する進行度パラメータを求めるカウント手段」とあったものを「
図柄抽選の回数をカウントして進行度パラメータを
進行度パラメータが規定値に達しているか否かを判定する規定回数到達判定手段
上記規定回数到達判定手段により進行度パラメータが規定値に達していると判断された場合は、上記ホールコンピュータ、又は外部記憶手段へ遊技の内容を構成しない特典画像データを要求可能とし、特典画像データを要求した場合は、上記図柄抽選の回数の
特典画像データ
特典画像
　そこで、本件補正後の特許請求の範囲の請求項１に記載された発明（以下「本件補正発明」という。）が特許出願の際独立して特許を受けることができるものであるか（改正前特許法第１７条の２第５項において準用する同法第１２６条第５項の規定に適合するか）否かについて検討する。
　
２　刊行物に記載された発明
　原査定の拒絶理由において提示された、本願の出願前に頒布された刊行物である特開平１０−１６５６１２号公報（以下「刊行物」という。）には、図面と共に次の事項が記載されている。
　ア　「【発明の属する技術分野】本発明は、パチンコ等の遊技者が遊技機を用いて遊技媒体を獲得し、獲得した遊技媒体を景品管理装置が管理する所定の景品と交換する遊技機システムに関し、特に、遊技途中の段階で、遊技者の遊技媒体数と交換できる景品を遊技者に効率良く把握させ、もって集客力を高めることができる遊技機システムに関する。」（段落【0001】）
　イ　「このため、遊技途中の段階で、パチンコ玉数をいかなる景品と交換できるかを該遊技者にいかに効率良く把握させるかが重要な課題となっており、また、この課題を解決することができれば、豊富な品揃えや目玉商品の準備に伴う他店との差別化を一層推進できることになる。
　なお、かかる課題は、上記パチンコのみならず、スロットマシンや各種ゲーム機においても重要な役割を果たしている。
　そこで、本発明は、上記課題を解決し、遊技途中の段階で、遊技者の遊技媒体数と交換できる景品を遊技者に効率良く把握させ、もって集客力を高めることができる遊技機システムを提供することを目的とする。」（段落【0011】〜【0013】）
　ウ　「具体的には、遊技者が例えばパチンコ台１４を使用して所定数のパチンコ玉を獲得したならば、該パチンコ台１４に対応して設けたカード装着装置１１が景品管理装置１０から持ち玉と交換できる景品の画像データを受け取り、受け取った画像データを表示部１１ｄ上に表示する。
　このように、このパチンコ遊技システムは、各
パチンコ台１４
対応してカード装着装置１１
を設け
　この景品管理装置１０は、遊技者が獲得したパチンコ玉と交換できる景品の外観イメージを示す画像データを管理する管理装置であり、入力部１０ａと、イメージスキャナ１０ｂと、画像データ記憶部１０ｃと、ターミナルコントローラ１０ｄとを有する。」（段落【0020】〜【0022】）
　エ　「また、
カード装着装置１１は
表示制御部１１ｃと
表示部１１ｄと
を有する
　オ　「
表示制御部１１ｃは、景品管理装置１０から受信した景品の画像データを
表示部１１ｄに表示
する
　
持ち玉数管理部１１ｆは、遊技者が現時点で保有する持ち玉数を管理する管理部であり
　そして、遊技者が遊技を開始してパチンコ台にパチンコ玉が打ち出されたならば、この打ち出し数を示すデータをパチンコ台から受信して持ち玉数から減じ、打ち出した玉がパチンコ台の入賞口に入賞した際には、獲得玉数を示すデータをパチンコ台から受け取って持ち玉数に加算する。
　
制御部１１ｇは、カード装着装置１１の全体制御及び景品管理装置１０とのデータ授受等を行う
　また、持ち玉数管理部１１ｆが管理する遊技者の持ち玉数が所定量変動したならば、該持ち玉数に対応する景品の外観イメージを景品管理装置１０に要求し、該景品管理装置１０から受け付けた画像データを表示制御部１１ｃに出力する。」（段落【0038】〜【0042】）
　カ　「そして、遊技者がパチンコ台１４を用いた遊技を開始すると、当然ながらその持ち玉数は逐次変動するため、持ち玉数表示部２２の表示内容を逐次更新するとともに、この持ち玉数が所定量変動した場合には、該持ち玉数に対応する景品の画像データを景品管理装置１０に要求して、表示部１１ｄに表示した景品の外観イメージを更新する。」（段落【0049】）
　キ　「そして、遊技により持ち玉数が変動した際には、この持ち玉数５３の内容データを更新し、また持ち玉数の変動に応答して新たな画像データを景品管理装置１０から獲得した場合には、画像データ５７を更新する。」（段落【0068】）
　ク　「そして、パチンコ台１４を用いた遊技者による遊技が開始され、パチンコ台１４への
パチンコ玉の打ち込み及び入賞が生じる
持ち玉数管理部１１ｆが管理する持ち玉数
　また、この持ち玉数が所定量以上変動しない場合には（ステップ６０５）、景品が変化しないためにステップ６０４の処理をくり返し、
持ち玉が所定量以上変動し
たならば
この持ち玉数を景品管理装置１０に送信して新たな景品の画像データを要求する
　そして、この
景品管理装置１０から画像データを受信したならば
受信した画像データを表示部１１ｄに表示し
遊技者が所定量持ち玉数を増やした
　１）遊技途中の段階で、遊技者の持ち玉数と交換できる景品を遊技者に効率良く把握させることができる。
　２）顧客サービスの質的向上を図り、もって集客力を高めることができる。
　３）特殊景品を偏重しがちな業界の体質を是正し、業界の健全化に寄与することができる。
　４）パチンコ店ごとに設けた目玉商品を周知させることができる。」（段落【0072】〜【0089】）
　ケ　「そこで、以下では、景品を複数の段階にランクづけし、遊技者が現在保有する持ち玉数に対応するランクの景品の画像データと、１ランク上位の景品の画像データを表示する第３の実施の形態について説明する。」（段落【0115】）
　コ　「なお、上記第１〜第３の実施の形態では、パチンコ台の加工を低減するために、カード装着装置１１〜１３に表示部を設ける場合を示したが、本発明はこれに限定されるものではなく、
パチンコ台の一部に表示部を設ける
　サ　上記オ及びクの記載事項及び【図１】の図示内容によると、カード装着装置１１の全体制御を行う制御部１１ｇが、持ち玉数管理部１１ｆが管理する
持ち玉数が所定量以上変動したことを検出する
景品管理装置１０と通信可能に接続されること
　上記ア〜コの記載事項、上記サの認定事項及び図面の図示内容を総合勘案すると、刊行物には、次の発明が記載されていると認められる。
「パチンコ玉の打ち込み及び入賞が生じ、パチンコ玉の払い出し口を有するパチンコ台１４において、
　表示部１１ｄと、表示部１１ｄを表示制御する表示制御部１１ｃと、遊技者の現時点で保有する持ち玉数を管理する持ち玉数管理部１１ｆと、持ち玉数管理部１１ｆが管理する持ち玉数が所定量以上変動したことを検出する制御部１１ｇとを有するカード装着装置１１が対応して設けられ、
　表示部１１ｄは、パチンコ台１４の一部に設けることも可能であり、
　表示制御部１１ｃは、景品管理装置１０と通信可能に接続され、
　制御部１１ｇは、持ち玉数管理部１１ｆが計数した持ち玉数が所定量以上変動した際に、その持ち玉数を景品管理装置１０に送信し、遊技店ごとに設けた目玉商品の画像データを要求し、景品管理装置１０から遊技店ごとに設けた目玉商品の新たな画像データを受信し、
　表示制御部１１ｃは、景品管理装置１０から持ち玉数の増やされた量に応じて受信した持ち玉数に対応するランクの遊技店ごとに設けた目玉商品の画像データを表示部１１ｄに表示するパチンコ台１４。」
　
３　対比
　本件補正発明と刊行物に記載された発明とを対比する。
　刊行物に記載された発明の「パチンコ玉の打ち込み及び入賞が生じ、パチンコ玉の払い出し口を有するパチンコ台１４」は、その構成及び機能からみて、本件補正発明の「遊技盤面上に発射された遊技球の帰趨に応じて遊技球を払い出す弾球遊技機」に相当し、以下同様に、
　「表示部１１ｄを表示制御する表示制御部１１ｃ」は、「表示装置を制御する画像制御装置」に、
　「表示制御部１１ｃは、景品管理装置１０から画像データを受信」できることは、「画像制御装置は、遊技場全体を管理するホールコンピュータ」「と接続可能に構成され」ることに、
　「表示制御部１１ｃは、景品管理装置１０から持ち玉数の増やされた量に応じて受信した持ち玉数に対応するランクの遊技店ごとに設けた目玉商品の画像データを表示部１１ｄに表示する」ことは、持ち玉数の増やされた量に応じて「遊技店ごとに設けた目玉商品」と交換可能なことは遊技者にとっての特典であるといえるから、「表示装置に、非遊技画像として特典画像を、進行度パラメータが大きくなるにしたがって、低順位のものから順位付けされた順番に段階的に表示せしめること」に、
それぞれ相当する。
　そして、刊行物に記載された発明の「表示部１１ｄ」「を有するカード装着装置１１」と、本件補正発明の「遊技盤上に設けられ、大当たり判定処理の結果に基づいて図柄抽選の様子を表示する表示装置」とは、「表示装置」である点で共通し、以下同様に、
　刊行物に記載された発明の「遊技者の現時点で保有する持ち玉数を管理する持ち玉数管理部１１ｆ」と、本件補正発明の「図柄抽選の回数をカウントして進行度パラメータを求めるカウント手段」とは、「遊技状態の変化をカウントして進行度パラメータを求めるカウント手段」である点で、
　刊行物に記載された発明の「持ち玉数管理部１１ｆが管理する持ち玉数が所定量以上変動したことを検出する制御部１１ｇ」と、本件補正発明の「進行度パラメータが規定値に達しているか否かを判定する規定回数到達判定手段」とは、「進行度パラメータが規定値に達しているか否かを判定する到達判定手段」である点で、
　刊行物に記載された発明の「制御部１１ｇは、持ち玉数管理部１１ｆが計数した持ち玉数が所定量以上変動した際に、その持ち玉数を景品管理装置１０に送信し、遊技店ごとに設けた目玉商品の新たな画像データを要求」することと、本件補正発明の「規定回数到達判定手段により進行度パラメータが規定値に達していると判断された場合は、ホールコンピュータ」「へ遊技の内容を構成しない特典画像データを要求可能と」することとは、前者において、「遊技店ごとに設けた目玉商品」の画像が、遊技の内容を構成しない内容のデータであることは、当業者にとって明らかであるから、両者は、「到達判定手段により進行度パラメータが規定値に達していると判断された場合は、ホールコンピュータへ遊技の内容を構成しない特典画像データを要求可能と」することで、
　刊行物に記載された発明の「制御部１１ｇは、持ち玉数管理部１１ｆが計数した持ち玉数が所定量以上変動した際に、その持ち玉数を景品管理装置１０に送信し、遊技店ごとに設けた目玉商品の画像データを要求し、景品管理装置１０から遊技店ごとに設けた目玉商品の新たな画像データを受信」することと、本件補正発明の「特典画像データを要求した場合は、図柄抽選の回数の程度に応じて順位付けされた特典画像データを受信可能であ」こととは、「特典画像データを要求した場合は、遊技状態の変化の程度に応じて順位付けされた特典画像データを受信可能であ」ることで、
それぞれ共通する。
　
　したがって、両者の一致点および相違点は、次のとおりである。
［一致点］
「遊技盤面上に発射された遊技球の帰趨に応じて遊技球を払い出す弾球遊技機において、
　表示装置と、該表示装置を制御する画像制御装置と、遊技状態の変化をカウントして進行度パラメータを求めるカウント手段と、上記進行度パラメータが規定値に達しているか否かを判定する到達判定手段とを具備し、
　上記画像制御装置は、遊技場全体を管理するホールコンピュータと接続可能に構成されており、上記到達判定手段により進行度パラメータが規定値に達していると判断された場合は、上記ホールコンピュータ、又は外部記憶手段へ遊技の内容を構成しない特典画像データを要求可能とし、特典画像データを要求した場合は、上記遊技状態の変化の程度に応じて順位付けされた特典画像データを受信可能であり、上記表示装置に、非遊技画像として上記特典画像を、進行度パラメータが大きくなるにしたがって、低順位のものから順位付けされた順番に段階的に表示せしめる弾球遊技機。」
　
［相違点１］
　本件補正発明では、大当たり判定処理を実行する主制御装置と、遊技盤上に設けられ、大当たり判定処理の結果に基づいて図柄抽選の様子を表示する表示装置とを具備するのに対して、刊行物に記載された発明では、表示部１１ｄと、表示制御部１１ｃとを有するカード装着装置１１が設けられている点。
　
［相違点２］
　カウント手段によりカウントされる遊技状態の変化が、本件補正発明では、図柄抽選の回数であるのに対して、刊行物に記載された発明では、持ち玉数である点。
　
［相違点３］
　到達判定手段が、本件補正発明では、規定回数到達判定手段であるのに対して、刊行物に記載された発明では、持ち玉数管理部である点。
　
４　当審の判断
（１）上記相違点１について
　弾球遊技機の技術分野において、大当たり判定処理を実行する主制御装置と、遊技盤上に設けられ、大当たり判定処理の結果に基づいて図柄抽選の様子を表示する表示装置とを弾性遊技機本体に具備することは、本願出願前に普通に行われていた技術事項である（例えば、特開２００１−１７６８３号公報のＣＰＵ５６、画像表示領域９、段落【0156】や、特開平８−１３１６２２号公報の基本回路４０、ＬＣＤ表示器３３、段落【0036】〜【0037】を参照。）。
　そして、刊行物に記載された発明は、表示部をパチンコ台１４の一部に設けることも可能であることから、表示部をパチンコ台１４の一部に設けるに際して、上記周知の技術事項に倣って、パチンコ台１４に大当たり判定処理を実行する主制御装置を具備させるとともに、遊技店ごとに設けた目玉商品の画像データと図柄抽選の様子とを表示する、遊技盤上に設けられる表示部を具備させて、上記相違点１に係る本件補正発明の発明特定事項に到達することは当業者が容易になし得たものである。
　
（２）上記相違点２及び３について
　刊行物に記載された発明において、表示部１１ｄをパチンコ台に具備させることは、上記（１）で検討したとおりである。
　そして、弾球遊技機の技術分野において、遊技状態の変化を図柄抽選の回数により検出し、カウントされた図柄抽選の回数が規定値に達しているか否かを規定回数到達判定手段により判定し、画像制御装置が、図柄抽選の回数の程度に応じて表示内容を切り換えることは本願出願前に周知の技術事項である（例えば、上記特開２００１−１７６８３号公報の段落【0166】や、上記特開平８−１３１６２２号公報の段落【0037】を参照。）。
　してみると、刊行物に記載された発明において、上記周知の技術事項に倣って、持ち玉数管理部１１ｆを備えることに換えて、図柄抽選の回数をカウントするカウント手段を設け、さらに、遊技店ごとに設けた目玉商品の画像データのパチンコ台１４に設けた表示部への切り換え表示を、規定回数到達判定手段による図柄抽選回数の判定結果に応じて行い、上記相違点２及び３に係る本件補正発明の発明特定事項に到達することは当業者が容易になし得たものである。
　また、本件補正発明の奏する効果は、刊行物に記載された発明及び周知の技術事項から当業者が予測できた効果の範囲内のものである。
　よって、本件補正発明は、刊行物に記載された発明及び周知の技術事項に基づいて当業者が容易に発明をすることができたものであるから、特許法第２９条第２項の規定により、特許出願の際独立して特許を受けることができないものである。
　
５　まとめ
　以上のとおりであるから、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１に係る発明（以下「本願発明」という。）は、平成２２年１２月２０日付け手続補正書の特許請求の範囲の請求項１に記載された事項により特定される次のとおりのものである。
「遊技盤面上に発射された遊技球の帰趨に応じて遊技球を払い出す弾球遊技機において、大当たり判定処理を実行する主制御装置と、遊技盤上に設けられ、上記大当たり判定処理の結果に基づいて図柄抽選の様子を表示する表示装置と、該表示装置を制御する画像制御装置と、予め設定した遊技状態の変化をカウントして、遊技の進行とともに変化する進行度パラメータを求めるカウント手段とを具備し、上記画像制御装置は、遊技場全体を管理するホールコンピュータ、又は外部記憶手段と接続可能に構成されており、遊技者に提供される利益の情報であって、予め上記ホールコンピュータ、又は外部記憶手段に記憶されており上記利益の程度に応じて順位付けされた情報を受信可能であり、上記表示装置に、遊技の内容を構成しない非遊技画像として、上記利益情報を、進行度パラメータが大きくなるにしたがって、低順位のものから順位付けされた順番に段階的に表示せしめることを特徴とする弾球遊技機。」
　
２　刊行物に記載された発明
　原査定の拒絶の理由に引用した刊行物、刊行物の記載事項及び刊行物に記載された発明は、前記「第２［理由］２　刊行物に記載された発明」に記載したとおりである。
　
３　対比及び判断
　本願発明は、前記「第２［理由］」において検討した本件補正発明において、カウント手段、進行度パラメータの判定及び非遊技画像についての限定を省くものである。
　そうすると、実質的に本願発明の発明特定事項をすべて含み、さらに、他の発明特定事項を付加したものに相当する本件補正発明が、前記「第２［理由］３　対比及び４　当審の判断」に記載したとおり、刊行物に記載された発明及び周知の技術事項に基づいて当業者が容易に発明をすることができたものであるから、本願発明も同様に、刊行物に記載された発明及び周知の技術事項に基づいて当業者が容易に発明をすることができたものである。  　
４　むすび
　以上のとおりであるから、本願発明は、刊行物に記載された発明及び周知の技術事項に基づいて当業者が容易に発明をすることができたものであり、特許法第２９条第２項の規定により特許を受けることができない。  
　したがって、本願のその他の請求項に係る発明について検討するまでもなく、本願は拒絶すべきものである。
　
　よって、結論のとおり審決する。